(57)【要約】【課題】  ジュール熱火災のないマンション施設管理システム【解決手段】    太陽光集光デバイス１による集光を、ジュール熱発生のない光ファイバーケーブル２により伝送し、太陽光集光ＣＯ２レーザ装置３でレーザとして電波時計４によるタイマー動作で、バッチ処理マンション施設管理システム５のマンション各戸電気機械駆動部６の駆動運用プログラムを自動走行する無装荷ケーブルトライアル。【選択図】      図１
0003167195.tif 000002
【実用新案登録請求の範囲】
【請求項１】
太陽光集光デバイスと光ファイバーで接続した太陽光集光ＣＯ２レーザ装置によるレーザを電波時計のタイマーでバッチ処理マンション施設管理システムのマンション各戸電気機械駆動部の駆動信号とする構成の無装荷ケーブルトライアル。  
【考案の詳細な説明】
【技術分野】
【０００１】
本考案は、従来のマンション施設管理システムに於ける電力による伝送装置に関する。
【背景技術】
【０００２】
松前重義博士発明の無装荷ケーブルがあります。
【考案の概要】
【考案が解決しようとする課題】
【０００３】
しかしながら、電力による伝送装置無装荷ケーブルは、その構成エレメントＣ,Ｒに於けるＲが抵抗加熱によるジュール熱発生火災を起す欠点がある。
【０００４】
本考案は、上記実情に鑑みてなされたものであり、ジュール熱発生火災を起す欠点のない対策がなされている。
【課題を解決するための手段】
【０００５】
上記目的を達成するため考案は、マンション各戸電気機械駆動部の駆動によるバッチ処理マンション施設管理システムとして次の構成を含むことを特徴としている。太陽光集光デバイスによる集光を光ファイバケーブルにより伝送し太陽光集光ＣＯ２レーザ装置でレーザとして電波時計によるタイマー動作でバッチ処理マンション施設管理システムのマンション各戸電気機械駆動部（電気ガス、水道自動検針システム、給水昇水ポンプ、電気自動車自動充電他）の駆動運用プログラムを自動走行する構成である。
【考案の効果】
【０００６】
本考案により、その構成エレメントにＲ（ジュール熱発生源）を有しないＣのみを有する無装荷ケーブルに挑戦する火災対策無装荷ケーブルトライアルができる。
【図面の簡単な説明】
【０００７】
【図１】本考案の無装荷ケーブルトライアルである。
【考案を実施するための形態】
【０００８】
本考案の実施の形態の一例について図面を参照しながら説明する。
無装荷ケーブルトライアルは図１に示すように、太陽光集光デバイス１による集光を光ファイバケーブル２により伝送し、太陽光集光ＣＯ２レーザ装置３でレーザとして電波時計４によるタイマー動作で、バッチ処理マンション施設管理システム５のマンション各戸電気機械駆動部６の駆動運用プログラムを自動走行するものである。
【符号の説明】
【０００９】
１．  太陽光集光デバイス
２．      光ファイバーケーブル                                                  ３．      太陽光集光ＣＯ２レーザ装置                                            ４．      電波時計                                                              ５．      バッチ処理マンション施設管理システム
６．      マンション各戸電気機械駆動部
【図１】
0003167195.tif 000003
【手続補正書】
【提出日】平成22年6月30日(2010.6.30)
【手続補正１】
【補正対象書類名】明細書
【補正対象項目名】全文
【補正方法】変更
【補正の内容】
【考案の詳細な説明】
【技術分野】
【０００１】本考案は、従来のマンション施設管理システムに於ける電力による伝送装置に関する。
【背景技術】
【０００２】松前重義博士発明の無装荷ケーブルがあります。
【考案の概要】
【考案が解決しようとする課題】
【０００３】しかしながら、電力による伝送装置無装荷ケーブルは、その構成エレメントＣ,Ｒに於けるＲが抵抗加熱によるジュール熱発生火災を起す欠点がある。【０００４】  本考案は、上記実情に鑑みてなされたものであり、ジュール熱発生火災を起す欠点のない対策がなされている。
【課題を解決するための手段】
【０００５】上記目的を達成するため考案は、マンション各戸の電気機械駆動部の駆動制御によるバッチ処理マンション施設管理システムとして次の構成を含むことを特徴としている。太陽光集光デバイスによる集光を光ファイバケーブルにより伝送し太陽光集光レーザ装置でレーザ通信により電波時計によるタイマー動作でバッチ処理マンション施設管理システムのマンション各戸の電気機械駆動部（電気ガス、水道の自動検針システム、給水昇水ポンプ、電気自動車自動充電他）の駆動プログラムを運用自動走行する構成である。
【考案の効果】
【０００６】本考案により、その構成エレメントにＲ（ジュール熱発生源）を有しないＣのみを有する無装荷ケーブルに挑戦する火災対策無装荷ケーブルリニューアルシステムができる。
【図面の簡単な説明】
【０００７】
【図１】本考案の無装荷ケーブルリニューアルシステムである。
【考案を実施するための形態】
【０００８】本考案の実施の形態の一例について図面を参照しながら説明する。無装荷ケーブルリニューアルシステムは図１に示すように、太陽光集光デバイス１による集光を光ファイバケーブル２により伝送し、太陽光集光レーザ装置３でレーザ通信として電波時計４によるタイマー動作で、バッチ処理マンション施設管理システム５のマンション各戸の電気機械駆動部６の駆動運用プログラムを自動走行するものである。
【符号の説明】
【０００９】    1  太陽光集光デバイス    2  光ファイバーケーブル    3  太陽光集光レーザ装置    4  電波時計    5  バッチ処理マンション施設管理システム    6  マンション各戸の電気機械駆動部
【手続補正２】
【補正対象書類名】実用新案登録請求の範囲
【補正対象項目名】全文
【補正方法】変更
【補正の内容】
【実用新案登録請求の範囲】
【請求項１】
太陽光集光デバイスと光ファイバーで接続した太陽光集光レーザ装置によるレーザ通信制御システムを電波時計のプログラムタイマー信号でバッチ処理マンション施設管理システムに於けるマンション各戸の電気機械駆動部のプログラム駆動信号とする運用構成の無装荷ケーブルリニューアルシステム。  
【手続補正３】
【補正対象書類名】図面
【補正対象項目名】全図
【補正方法】変更
【補正の内容】
【図１】
0003167195.tif 000004
【手続補正書】
【提出日】平成22年9月17日(2010.9.17)
【手続補正１】
【補正対象書類名】明細書
【補正対象項目名】全文
【補正方法】変更
【補正の内容】
【考案の詳細な説明】
【技術分野】
【０００１】本考案は、従来のマンション施設管理システムに於ける電力による伝送装置に関する。
【背景技術】
【０００２】松前重義博士発明の無装荷ケーブルがあります。
【考案の概要】
【考案が解決しようとする課題】
【０００３】しかしながら、電力による伝送装置無装荷ケーブルは、その構成エレメントＣ,Ｒに於けるＲが抵抗加熱によるジュール熱発生火災を起す欠点がある。【０００４】  本考案は、上記実情に鑑みてなされたものであり、ジュール熱発生火災を起す欠点のない対策がなされている。
【課題を解決するための手段】
【０００５】上記目的を達成するため考案は、マンション各戸の電気機械駆動部の駆動制御によるマンション施設管理システムとして次の構成を含むことを特徴としている。太陽光集光デバイスによる集光を光ファイバケーブルにより伝送し太陽光集光エネルギー利用レーザ装置でレーザ通信により電波時計によるタイマー動作でマンション施設管理システムのマンション各戸の電気機械駆動部（電気ガス、水道の自動検針システム、給水昇水ポンプ、電気自動車自動充電他）の駆動プログラムを運用自動走行する構成である。
【考案の効果】
【０００６】本考案により、その構成エレメントにＲ（ジュール熱発生源）を有しないＣのみを有する無装荷ケーブルに挑戦する火災対策無装荷ケーブルリニューアルシステムができる。
【図面の簡単な説明】
【０００７】
【図１】本考案の無装荷ケーブルリニューアルシステムである。
【考案を実施するための形態】
【０００８】本考案の実施の形態の一例について図面を参照しながら説明する。無装荷ケーブルリニューアルシステムは図１に示すように、太陽光集光デバイス１による集光を光ファイバケーブル２により伝送し、太陽光集光エネルギー利用レーザ装置３でレーザ通信として電波時計４によるタイマー動作で、マンション施設管理システム５のマンション各戸の電気機械駆動部６の駆動運用プログラムを自動走行するものである。
【符号の説明】
【０００９】    1.  太陽光集光デバイス    2.  光ファイバーケーブル    3.  太陽光集光エネルギー利用レーザ装置    4.  電波時計    5.  マンション施設管理システム    6.  マンション各戸の電気機械駆動部
【手続補正２】
【補正対象書類名】実用新案登録請求の範囲
【補正対象項目名】全文
【補正方法】変更
【補正の内容】
【実用新案登録請求の範囲】
【請求項１】
太陽光集光デバイスと光ファイバーで接続した光伝送装置の太陽光集光エネルギー利用レーザ装置によるレーザ通信制御システムをマンション施設管理システムに採用した無装荷ケーブルリニューアルシステム。  
【請求項２】
タイマー信号として採用するための電波時計を具備した事を特徴とする請求項１記載の無装荷ケーブルリニューアルシステム。  
【手続補正書】
【提出日】平成22年12月1日(2010.12.1)
【手続補正１】
【補正対象書類名】実用新案登録請求の範囲
【補正対象項目名】全文
【補正方法】変更
【補正の内容】
【実用新案登録請求の範囲】
【請求項１】
太陽光集光デバイスと光ファイバーで接続した光伝送装置の太陽光集光エネルギー利用レーザ装置によるＬＥＤ等光デバイスによるタッチパネル操作を含んだレーザ通信制御システムをメール配達・集荷等マンション施設管理システムのひとつメールＢＯＸに採用した無装荷ケーブルリニューアルシステム。  
【請求項２】
昼間の太陽エネルギー夜間の電力エネルギーの使い別けタイマー信号として採用するための電波時計を具備した事を特徴とする請求項１記載の無装荷ケーブルリニューアルシステム。  
【手続補正書】
【提出日】平成23年2月8日(2011.2.8)
【手続補正１】
【補正対象書類名】実用新案登録請求の範囲
【補正対象項目名】全文
【補正方法】変更
【補正の内容】
【実用新案登録請求の範囲】
【請求項１】
太陽光集光デバイスと光ファイバとを接続した光伝送装置を太陽光集光レーザ通信制御システムとしてＯ／Ｅ変換装置により従来のメール配達・集荷ロッカー運用マンション施設管理システムに接続採用した無装荷ケーブルリニューアルシステム。
【請求項２】
太陽光集光レーザ通信制御システムと従来のマンション施設管理システムの太陽光利用昼夜間接続切換スイッチとして接続したタイマー付き電波時計を具備した事を特徴とする請求項１記載の無装荷ケーブルリニューアルシステム。